(57)【要約】【課題】  選別部からの２番処理物を揺動選別装置に還元するものでありながら、揺動選別装置による選別処理が効率よくかつ精度よく行なわれる全稈投入型脱穀機を提供する。【解決手段】  受網３９の上端３９ａと扱室天板６５の間に設けた仕切り壁６７と、脱穀機体横側壁６０とにより、処理物通路６８を選別室ＢＲに連通した状態で脱穀機体内に形成してある。選別部Ｂからの２番処理物を還元搬送装置５０によって搬送し、還元搬送装置５０の処理物通路６８に臨む吐出口５４から脱穀機体内に吐出して揺動選別装置３２に還元するように構成してある。【選択図】        図５
2006014708.tif 000002
【特許請求の範囲】
【請求項１】
刈取穀稈の全体を扱室に投入して回動する扱胴によって脱穀処理する脱穀部を備え、前記扱室から落下した脱穀処理物を揺動選別装置と、脱穀機体内の前端部から脱穀機体後方向きに供給される選別風とによって選別処理する選別部を備えた全稈投入型脱穀機であって、
前記扱室の受網の上端と天板との間に、扱室と脱穀機体内空間とを区画する仕切り壁を設けるとともに、前記仕切り壁と、脱穀機体横側壁とにより、処理物通路を前記選別部の選別室に連通した状態で脱穀機体内に形成し、
前記選別部からの２番処理物を前記揺動選別装置に還元する搬送装置の脱穀機体内に連通する吐出口を、前記処理物通路に臨ませてある全稈投入型脱穀機。
【請求項２】
前記搬送装置に、処理物揚送筒の脱穀機体前方向きに開口する排出口と、前記排出口と前記吐出口を連通させる連通部材とを備えさせ、前記連通部材に、前記排出口からの処理物を脱穀機体前後方向に分散して前記吐出口から流出するように案内する傾斜ガイド面を備えてある請求項１記載の全稈投入型脱穀機。
【請求項３】
前記扱胴を、この扱胴の回動軸芯が前記揺動選別装置の脱穀機体横方向での中心に対して前記処理物通路が位置する側と反対側に偏在する状態で配置してある請求項１又は２記載の全稈投入型脱穀機。
【請求項４】
前記仕切り壁を、脱穀機体の機体前後向きの機体フレームと、この機体フレームと前記扱室天板の間に位置する板金部材とによって構成してある請求項１〜３のいずれか１項に記載の全稈投入型脱穀機。
【発明の詳細な説明】
【技術分野】
【０００１】
本発明は、刈取穀稈の全体を扱室に投入して回動する扱胴によって脱穀処理する脱穀部を備え、前記扱室から落下した脱穀処理物を揺動選別装置と、脱穀機体内の前端部から脱穀機体後方向きに供給される選別風とによって選別処理する選別部を備えた全稈投入型脱穀機に関する。
【背景技術】
【０００２】
上記脱穀機においては、選別部から送り出された２番処理物を揺動選別装置に再処理させるべく還元するように構成される。
この種の脱穀機としては、従来、たとえば特許文献１に示されるように、２番物を２番物回収用スクリューコンベヤ２３から還元装置２４を介して揺動選別ケース２０に戻すように構成したものがあった。
【０００３】
従来、特許文献２に示されるように、選別装置Ｂの始端部付近に補助唐箕１８を設け、２番還元装置９の吐出口２０から飛散して選別装置Ｂに還元される２番物に対して補助唐箕１８からの選別風が選別作用するように構成したものがあった。
【０００４】
【特許文献１】特開平１１−１５５３４７号公報（〔００２２〕段、図２）
【０００５】
【特許文献２】特開平７−２７４６９３号公報（〔００１２〕段、図１，２）
【発明の開示】
【発明が解決しようとする課題】
【０００６】
全稈投入型の脱穀機にあっては、刈取穀稈の株元から穂先までの全体を扱室に供給して脱穀処理されることから、扱室で発生するワラ屑などが多くなり、選別部から搬送される２番処理物に混入するワラ屑なども多くなる。２番処理物が混入ワラ屑などの多いままで揺動選別装置に還元されると、揺動選別装置の選別能力や選別精度が低下しやすくなる。
【０００７】
特許文献２に開示された技術を採用することにより、搬送装置からの処理物が選別作用を受けてから揺動選別装置に供給されるようにすると、補助唐箕などのためにコスト高や、複雑な構造になりがちであった。
【０００８】
本発明の目的は、２番処理物の還元にかかわらず揺動選別装置による選別を効率よくかつ精度よく行なわせることができるものを安価かつ構造簡単に得ることができる全稈投入型脱穀機を提供することにある。
【課題を解決するための手段】
【０００９】
本第１発明にあっては、刈取穀稈の全体を扱室に投入して回動する扱胴によって脱穀処理する脱穀部を備え、前記扱室から落下した脱穀処理物を揺動選別装置と、脱穀機体内の前端部から脱穀機体後方向きに供給される選別風とによって選別処理する選別部を備えた全稈投入型脱穀機において、
前記扱室の受網の上端と天板との間に、扱室と脱穀機体内空間とを区画する仕切り壁を設けるとともに、前記仕切り壁と、脱穀機体横側壁とにより、処理物通路を前記選別部の選別室に連通した状態で脱穀機体内に形成し、前記選別部からの２番処理物を前記揺動選別装置に還元する搬送装置の脱穀機体内に連通する吐出口を、前記処理物通路に臨ませてある。
【００１０】
すなわち、前記仕切り壁と脱穀機体横側壁とが処理物通路を選別室に連通した状態で形成していることにより、選別室から流れ出た選別風の一部が処理物通路に流入してこの処理物通路を脱穀機体後方向きに流動し、選別部からの処理物が搬送装置の吐出口から脱穀機体内に吐出されると、選別室から処理物通路に流入する選別風による選別作用を受けて穀粒と、塵埃とに選別されて揺動選別装置に落下する。しかも、処理物通路やその付近を機体後方向きに流動する選別風のために塵埃が穀粒より機体後方側に飛散して選別室からの塵埃と共に機体外に排出されるか、揺動選別装置に対して穀粒よりも処理物移送方向下手側で落下する。これにより、選別部からの２番処理物が混入塵埃の多い状態で戻されても、選別風によって穀粒と塵埃とに選別して、かつ、塵埃が穀粒よりも揺動選別装置の処理物移動方向に分離した状態で揺動選別装置に還元させることができる。場合によっては、選別された塵埃が選別風によって流され、揺動選別装置に戻らないで機体外に排出されることも可能である。
【００１１】
従って、本第１発明によれば、選別部からの２番処理物を揺動選別装置に還元するものでありながら、穀粒と塵埃とに選別して揺動選別装置に対して処理物移送方向に分離させて還元することができ、場合によっては塵埃を機体外に排出することができ、揺動選別装置による選別を還元物にかかわらず効率よくかつ精度よく行なわせて選別部による選別処理を能率よく行なわせることができる。それでありながら、仕切り壁を設けるだけで済むとともに、選別室に選別風を供給する送風手段を還元物の選別処理用に利用して経済面でも構造面でも有利に得ることができる。
【００１２】
本第２発明にあっては、本第１発明の構成において、前記搬送装置に、処理物揚送筒の脱穀機体前方向きに開口する排出口と、前記排出口と前記吐出口を連通させる連通部材とを備えさせ、前記連通部材に、前記排出口からの処理物を脱穀機体前後方向に分散して前記吐出口から流出するように案内する傾斜ガイド面を備えてある。
【００１３】
すなわち、搬送装置の排出口から排出された処理物が連通部材の傾斜ガイド面による案内によって脱穀機体前後方向に分散して吐出口から脱穀機体内に吐出されるものだから、脱穀機体内に吐出された処理物は、選別室から処理物通路に流入する選別風の作用を受けやすくなり、穀粒と塵埃とに精度よく選別されて揺動選別装置に還元される。
【００１４】
従って、本第２発明によれば、選別部からの処理物を傾斜ガイド面の案内による分散によって穀粒と塵埃とにより精度よく選別して揺動選別装置に還元させて、揺動選別装置による選別処理を還元物にかかわらずより効率よくかつ精度よく行なわせることができる。
【００１５】
本第３発明にあっては、本第１又は第２発明の構成において、前記扱胴を、この扱胴の回動軸芯が前記揺動選別装置の脱穀機体横方向での中心に対して前記処理物通路が位置する側と反対側に偏在する状態で配置してある。
【００１６】
すなわち、扱胴の前記偏在配置のために脱穀機全体の機体横方向での横幅の割には、処理物通路の脱穀機体横方向での横幅が広くなり、脱穀機体内に吐出された処理物が広範囲にわたって分散して選別風による選別作用をより受けやすくなる。
【００１７】
従って、本第３発明によれば、脱穀機体を横幅が比較的狭いコンパクトなものにしながら、選別部からの還元物を穀粒と塵埃とにより精度よく選別した状態で揺動選別装置に還元して、揺動選別装置による選別処理を還元物にかかわらずより効率よくかつ精度よく行なわせることができる。
【００１８】
本第４発明にあっては、本第１〜第３発明のいずれか一つの構成において、前記仕切り壁を、脱穀機体の機体前後向きの機体フレームと、この機体フレームと前記扱室天板の間に位置する板金部材とによって構成してある。
【００１９】
すなわち、仕切り壁を機体フレームと板金部材とによって構成し、特別な強度部材を設けなくとも、機体フレームによって強度を仕切り壁に備えさせることができる。
【００２０】
従って、本第４発明によれば、仕切り部材に優れた強度を備えさせることができながら、機体フレームを強度部材に利用して経済面や構造面で有利に得ることができる。
【発明を実施するための最良の形態】
【００２１】
以下、本発明の実施例を図面に基づいて説明する
図１，２，３に示すように、クローラ式走行装置１によって自走するように構成し、かつ、運転座席２が装備された搭乗型運転部、運転座席２の下方に位置するエンジン３が装備された原動部を備えた自走機体の機体フレーム４に脱穀機Ｄを搭載し、自走機体の前記原動部の後方側に、穀粒タンク１１を有する穀粒袋詰め部１０を前記脱穀機Ｄと自走機体の横方向に並ぶように配置して設け、前記脱穀機Ｄの機体前端部に、回転リール２３を有する刈取り前処理部２０のフィーダ２１の後端部を回動自在に連結するとともに、前記フィーダ２１にリフトシリンダ５を連動させて、稲などを収穫する全稈投入型コンバインを構成してある。
【００２２】
すなわち、リフトシリンダ５を伸縮操作すると、このリフトシリンダ５がフィーダ２１を脱穀機Ｄに対して上下に揺動操作することにより、刈取り前処理部２０を分草具２２などが地面上近くに位置した下降作業状態と、分草具２２などが地面上から高く上昇した上昇非作業状態とに自走機体に対して昇降操作する。刈取り前処理部２０を下降作業状態にして自走機体を走行させると、刈取り前処理部２０は、分草具２２によって植立穀稈を刈取り対象と非刈取り対象とに分草し、分草具２２からの刈り取り対象の植立穀稈の穂先側を回動する回転リール２３によってプラットホーム２４の内部に位置するオーガ２５の方に掻き寄せながら、プラットホーム２４の前端部に位置するバリカン型の刈取装置２６によって株元側を刈取り、刈取穀稈を機体横向きの軸芯周りで回動する前記オーガ２５によって横送りし、これによって前記フィーダ２１の入り口の前方に到達した刈取穀稈をオーガ２５と共に回動する棒状の掻き送り爪２５ａによってフィーダ２１に掻き込み、フィーダ内に入った刈取穀稈の株元から穂先までの全体をフィーダ内で回動駆動されるフィーダコンベヤ２７によってフィーダ２１に沿わせて後方上方に搬送して脱穀機Ｄの機体内に送り込む。脱穀機Ｄは、刈取穀稈を脱穀処理し、脱穀粒を袋詰め部１０の穀粒タンク１１に供給し、脱穀排ワラを脱穀機体の後部から放出する。
【００２３】
脱穀機Ｄについてさらに詳述すると、図４に示すように、この脱穀機Ｄは、脱穀機体内の上部に位置する扱室３０、この扱室３０に脱穀機体前後向きの軸芯Ｘまわりで回動自在に設けた扱胴３１などを備えた脱穀部Ａ、脱穀機体内の下部に位置する選別室ＢＲや、前記扱室３０の下方に駆動揺動自在に位置する揺動選別装置３２などを備えた選別部Ｂ、この選別部Ｂの選別室ＢＲの底部に設けた脱穀機体横向きの１番スクリューコンベヤ３３及び２番スクリューコンベヤ３４、脱穀機体の前記袋詰め部１０が位置する方の横外側に設けた搬送装置３５、処理装置４０、還元搬送装置５０、前記扱室３０の送塵口３７や前記選別部Ｂからのワラ屑を細断処理して脱穀機体の後方に落下放出するように扱室後部の下方に駆動回動自在に設けた細断チョッパー３８を備えて構成してある。
【００２４】
脱穀部Ａは、前記フィーダコンベヤ２７によって扱室３０の入り口に送り込まれた刈取穀稈の株元から穂先までの全体を扱胴３１の前端部に位置する螺旋状の掻き込み羽根３１ａによって扱室３０に掻き込み、この掻き込み羽根３１ａからの刈取穀稈を回動する扱胴３１の扱歯３１ｂによって扱室内を後方側に搬送しながら脱穀処理し、脱穀粒などの脱穀処理物を受網３９から落下させ、脱穀排ワラを扱室３０の後部に位置する送塵口３７から排出する。
【００２５】
選別部Ｂは、扱室３０の受網３９から選別室ＢＲに落下した脱穀処理物を前記揺動選別装置３２によって受け止め、この揺動選別装置３２によって脱穀機体後方向きに搬送しながら、この揺動選別装置３２のグレンパン３２ａ、チャフシーブ３２ｂ、ストローラック３２ｃ、グレンシーブ３２ｄによる揺動選別と、揺動選別装置３２の前端側の下方に位置する唐箕３６によって脱穀機体内の前端部から脱穀機体後方向きに供給される選別風とによって穀粒と、ワラ屑などの塵埃とに選別し、穀粒を揺動選別装置３２から落下させ、塵埃を前記細断チョッパー３８に供給する。
【００２６】
前記１番スクリューコンベヤ３３は、選別部Ｂからの１番処理物を受け止めて脱穀機体の横外側に搬送し、前記搬送装置３５は、スクリューコンベヤで成り、１番スクリューコンベヤ３３からの処理物を揚送して袋詰め部１０の穀粒タンク１１に供給する。前記２番スクリューコンベヤ３４は、選別部Ｂからの２番処理物を受け止めて脱穀機体の横外側に搬送して前記処理装置４０に供給する。
【００２７】
図７，８に示すように、前記処理装置４０は、脱穀機の機体横側壁６０の外面側に前記２番スクリューコンベヤ３４の搬送終端部に処理物導入口４１で連通した状態で設けた処理ケース４２、この処理ケース４２の内部に設けた処理回転体４３を備えて構成してある。
【００２８】
前記処理回転体４３は、この処理回転体４３の回転方向に並ぶ複数枚の処理羽根３４ａを備えているとともに前記２番スクリューコンベヤ３４のスクリュー軸３４ａの端部に一体回転自在に連結されている。前記処理ケース４２の内壁面に、前記処理回転体４３の回転方向に並ぶ複数の処理突起４４を固設してある。
【００２９】
つまり、処理装置４０は、２番スクリューコンベヤ３４によって選別部Ｂから搬出された２番処理物やワラ屑などを，その２番スクリューコンベヤ３４の送り作用によって処理ケース４２の内部に導入し、処理ケース内に入った２番処理物を、２番スクリューコンベヤ３４の駆動力によって回転駆動される処理回転体４３の処理羽根４３ａと、処理ケース４２に固定の処理突起４４とによって精粒化するように処理し、処理後の精粒も、ワラ屑も処理回転体４３の処理羽根４３ａによる放てき作用によって処理ケース４２の送出口から還元搬送装置５０に供給する。
【００３０】
図５，７，８などに示すように、前記還元搬送装置５０は、前記処理ケース４２の送出口に下端側が連通した脱穀機体上下向きの処理物揚送筒５１、及び、この処理物揚送筒５１の内部に回動自在に位置するスクリュー５２を備えて構成してあり、スクリューコンベヤ形の搬送装置になっている。
【００３１】
図５，６に示すように、前記処理物揚送筒５１の上端部に脱穀機体前方向きに開口するように形成して設けた排出口５３、脱穀機体の機体横側壁６０に設けた貫通孔で成っていて、脱穀機体内に連通している吐出口５４、この吐出口５４と前記排出口５３を連通させるように構成して前記機体横側壁６０の外面側に固設した板金製の連通部材５５を、前記還元搬送装置５０に備えてある。前記連通部材５５の内面側に傾斜ガイド面５６を備えさせるとともに、この傾斜ガイド面５６は、脱穀機体上下方向視で前記排出口５３から脱穀機体前方側に離れるほど脱穀機体内に近づく状態に傾斜したガイド面になっている。
【００３２】
図５，６に示すように、扱室３０の受網３９を受け止め支持させるガイドレール６１を支持するように脱穀機体の前壁６２と後壁６３とにわたって連結した状態で脱穀機体内に設けた機体前後向きの角形鋼管材で成る機体フレーム６４と、この機体フレーム６４と扱室天板６５との間に設けた板金部材６６とにより、受網３９の上端３９ａと扱室天板６５との間に位置する仕切り壁６７を構成してある。この仕切り壁６７は、脱穀機体内の前壁６２から後壁６３に至る全長にわたって存在していて、扱室３０と脱穀機体内空間とを扱室３０の脱穀機体前後方向での全長にわたって区画している。前記仕切り壁６７と、前記還元搬送装置５０の前記吐出口５４が位置する脱穀機体横側壁６０とは、処理物通路６８を脱穀機体内の上部に脱穀機体内の機体前後方向での全長にわたって形成している。前記処理物通路６８は、処理物通路６８の脱穀機体前後方向での全長にわたって脱穀機体下方向きに開口しており、受網３９と脱穀機体横側壁６０との間を介して選別部Ｂの選別室ＢＲに連通していて、唐箕３６から選別室ＢＲに供給された選別風が流入し得るようになっている。
【００３３】
図５に示すように、扱胴３１を、この扱胴３１の回動軸芯Ｘが前記揺動選別装置３２の脱穀機体横方向での中心Ｙに対して前記処理物通路６８が位置する側とは反対側に偏在する状態に配置してあり、これにより、脱穀機体全体の横幅の割りに、前記仕切り壁６７と脱穀機体横側壁６０との間隔が大になって処理物通路６８の脱穀機体横方向での横幅も広くなっている。還元搬送装置５０の前記吐出口５４は、この吐出口５４の上端側の一部が前記処理物通路６８に臨む状態にして、脱穀機体横側壁６０の処理物通路６８の下部付近に位置するように配置してある。
【００３４】
従って、還元搬送装置５０は、処理装置４０から伝動ケース４５を介して伝達される駆動力によってスクリュー５２を回動駆動し、選別部Ｂから２番スクリューコンベヤ３４によって搬出された処理物を、処理装置４０で未処理粒が精粒化するように処理した後に揚送搬送筒５１とスクリュー５２とによって揚送し、揚送終端部において、スクリュー軸５２ａに一体回転自在に連結されている回転羽根５７の放てき作用によって排出口５３から脱穀機体前方向きに排出して吐出口５４から脱穀機体内の上部に吐出し、脱穀機体内を自然落下させて揺動選別装置３２に還元する。処理物を排出口５３から排出して吐出口５４から吐出する際、処理物が連通部材５５の傾斜ガイド面５６に沿う方向に流動しながら吐出口５４から脱穀機体内に吐出されることにより、処理物を傾斜ガイド面５６による案内によって脱穀機体前後方向に分散させてその分散状態で吐出口５４から吐出する。
これにより、選別部Ｂから還元搬送装置５０によって揺動選別装置３２に還元される処理物は、吐出口５４から脱穀機体内に吐出された際、選別室ＢＲから処理物通路６８に流入する唐箕３６からの選別風による選別作用を受けて穀粒と塵埃とに選別され、処理物通路６８やその付近を脱穀機体後方向きに流動する選別風のためにワラ屑などの塵埃が揺動選別装置３２に穀粒よりも処理物移送方向下手側で落下する状態になって揺動選別装置３２に還元される。
【００３５】
図２，３に示すように、穀粒袋詰め部１０は、運転座席２の後方の脱穀機Ｄの横側に脱穀機Ｄと平行に位置する前記穀粒タンク１１、この穀粒タンク１１の自走機体前後方向に並ぶ複数の漏斗形底部１１ａに設けた穀粒吐出筒１２、前記各穀粒吐出筒１２の両横側に位置する袋支持杆１３、穀粒タンク１１に連結された固定ハンドル１５、前記穀粒タンク１１の下方に位置するように配置して機体フレーム４上に設けた袋受けデッキ１６、この袋受けデッキ１６の横端部に連結された補助者用ステップ１４を備えて構成してある。
【００３６】
穀粒タンク１１の脱穀機Ｄに面している部分に前記搬送装置３５が接続されており、穀粒タンク１１は、脱穀機Ｄから前記搬送装置３５によって供給された脱穀粒を回収して貯留し、貯留した脱穀粒を開き操作された前記穀粒吐出筒１２から吐出するようになっている。補助者用ステップ１４は、上下揺動自在に枢支されていて、上下に揺動操作することにより、袋受けデッキ１６から自走機体横外側向きにほぼ水平に延出する状態に倒伏した使用状態と、原動部のエンジンボンネット６の横外側面に沿った状態に起立した格納状態とに切り換わるようになっている。
【００３７】
つまり、穀粒袋詰め部１０は、袋支持杆１３の基端側に空の穀粒袋１７を装着して収納しておき、穀粒吐出筒１２毎において、空の穀粒袋１７を袋支持杆１３の基端側から先端側に取り出してその穀粒袋１７の開口を穀粒吐出筒１２に装着することにより、穀粒袋１７の底側が袋受けデッキ１６によって受け止め支持された状態になって穀粒タンク１１から穀粒袋１７に穀粒が吐出されて、穀粒タンク１１に貯留された脱穀粒の袋詰めが行なえるようになっている。この袋詰め作業の際、補助者ステップ１４を使用状態にして袋詰め作業者が使用するようになっている。
【図面の簡単な説明】
【００３８】
【図１】全稈投入型コンバイン全体の左側面図
【図２】全稈投入型コンバイン全体の右側面図
【図３】全稈投入型コンバイン全体の平面図
【図４】脱穀機の断面図
【図５】脱穀機の処理物通路配設部での断面図
【図６】処理物通路の平面図
【図７】処理装置の断面図
【図８】還元搬送装置の断面図
【符号の説明】
【００３９】
３０        扱室
３１        扱胴
３９ａ      受網の上端
５０        搬送装置
５１        処理物揚送筒
５３        排出口
５４        吐出口
５５        連通部材
５６        傾斜ガイド面
６０        脱穀機体横側壁
６４        機体フレーム
６５        扱室天板
６６        板金部材
６７        仕切り壁
６８        処理物通路
Ａ          脱穀部
Ｂ          選別部
ＢＲ        選別室
Ｘ          扱胴回動軸芯
Ｙ          揺動選別装置の中心
【図１】
2006014708.tif 000003
【図２】
2006014708.tif 000004
【図３】
2006014708.tif 000005
【図４】
2006014708.tif 000006
【図５】
2006014708.tif 000007
【図６】
2006014708.tif 000008
【図７】
2006014708.tif 000009
【図８】
2006014708.tif 000010